(57)【要約】  【課題】  単一又は複数の顧客側で広告の配達や放送、或いはリアルタイム情報の発布し、オンライン広告を一層早く、一層小さいスペースで顧客側に伝送することができ、システム管理員が全ての発送サーバーとターミナルを管理できるようにする。  【解決手段】  オーディオ・ビデオ・シリアル技術を応用した、単一又は複数の顧客側に対して広告の発送・放送或いはリアルタイム情報の発布を行うシリアル放送システムにおいて、広告発送サービス管理システム及びリアルタイム情報管理システムを利用して管理の動作を行う。システム管理員は、これら二つのシステムによって全てのサーバーとターミナルを管理する。【選択図】    図１
2007027964.tif 000002
【特許請求の範囲】
【請求項１】
システムの中の管理機能によって、システム管理員が該システム上の全ての情報をコントロールすることの出来る広告発送サービス管理システムと、
システムの中の管理機能によって、システム管理員が該システム上の全てのリアルタイム情報をコントロールすることの出来るリアルタイム情報管理システムと、
広告発送サービス管理システム又はリアルタイム情報管理システムから発送されるべき情報やリアルタイム情報を保存するデータベースと、
定期的にデータベースのスクラッチ・メモリーに今現在発送されるべき新しい情報又はリアルタイム情報があるかどうかをキャッチする発送サーバーと、
発送サーバーがキャッチした情報やリアルタイム情報を受け取って、顧客側のニーズに従って情報やリアルタイム情報を伝送するマルチメディア・サーバーと、
顧客側にて出力を行うターミナルと、
ターミナルの中に常駐し、ターミナル内のソフトウェア及びハードウェア設備を管理する責任を持ち、ターミナル出荷時の設定及び広告発送サービス管理システムから送られた設定に基づいて全ての機能を実行するマルチメディア放送システムと
を含む、シリアル放送システム。
【請求項２】
前記情報は、情報ファイル・ビデオファイル・オーディオファイル・ピクチャーファイル・文字ファイル・システム指令又は特定の広告ファイルであってよいことを特徴とする請求項１に記載のシリアル放送システム。
【請求項３】
前記マルチメディア・サーバーは一連の情報やリアルタイム情報を必要とする顧客へ同時に伝送出来ることを特徴とする請求項１に記載のシリアル放送システム。
【発明の詳細な説明】
【技術分野】
【０００１】
本発明は、単一又は複数の顧客側に対して広告の配達や放送若しくはリアルタイム情報の発布を行うことのできるシステムに関するものである。
【背景技術】
【０００２】
現在、広告の刊行方式は、平面メディアを主体として新聞雑誌に登載されている。その登載方式は、クライアントが広告原稿及び詳細な資料を提供し、広告代理業者が広告版面を製作し、クライアントがその広告を確認し、且つ締め切り前に平面メディアへ送り、これを平面メディアに刊行して公開している。この様な方式は、業界で長年行われている広告の刊行方式である。この方式には、実は下記のような欠点がある。
作業時間が長すぎること：
クライアントが資料を提供してから実際に刊行されるまで、少なくとも一日以上の時間がかかる。
途中で変更することができないこと：
一旦平面メディアにおいて刊行されると、もはやその広告内容は修正できない。
広告効果に限界があること：
平面メディアには一定の発行数量があり、誰もが一枚手にするということはできない。
従って平面メディアには実用上確かに理想的でない面がある。
【０００３】
もう一つの方式は、インターネットでのバナー（banner）広告登載方式で、一般的に、長い横物の形や小さい横物の形でインターネット・ページに登載される。この方式は、クライアントが広告原稿及び詳細な資料を提供し、グラフィック・デザイナーによって広告ファイル（例えばJPEG/GIFなどの様式）、或いはGIF動画ファイル、又はFlashマルチメディア・ファイル、或いはその他の動画ファイルなどを設計して製作し、前記インターネット・ページの所属サイトにおいて、前記広告ファイルをインターネット・ページの原始ファイルの中に入れて刊行される。しかし、広告の内容に間違いがありクライアントが更新を要求した場合、ただ一字だけ訂正する場合でも、先ずグラフィック・デザイナーが訂正を行い、間違い又は更新すべき広告ファイルを保存し、次に前記インターネット・ページの所属サイトにおいて、更新後の広告ファイルを前記インターネット・ページの原始ファイルの中に挿入した後、初めて刊行内容を更新することができる。
【０００４】
このように、インターネットでのバナー広告の更新作業プロセスは煩雑で、時効的にも向上させるのが難しい、しかもインターネットバナー広告の登載管理権は各サイトでコントロールされ、放送の時間・場所及び内容を統一管理することができず、実に理想的ではない。
【発明の開示】
【発明が解決しようとする課題】
【０００５】
本発明の目的は、単一又は複数の顧客側で広告の配達や放送、或いはリアルタイム情報の発布をすることにある。本発明を利用して、オンライン広告を一層早く、一層小さいスペースで顧客側に伝送することができると共に、管理プラットホームによってシステム管理員が全ての発送サーバーとターミナルを管理することができるようにする。
【課題を解決するための手段】
【０００６】
上記目的を達成するため、本発明のシステム構成は、
広告発送サービス管理システム（ASMS）と、
リアルタイム情報管理システム（IBMS）と、
広告発送サービス管理システム又はリアルタイム情報管理システムから発送すべき広告や文字資料を保存するデータベースと、
ＡSMS又はIBMSの指示に従ってデータベースから必要なデータを探し出してマルチメディア・サーバーへ送る発送サーバー（Dispatch Server, DS）と、
発送サーバーから送られた資料を受け取って、必要な顧客側へ配達を行うマルチメディア・サーバー（Media Server, MS）と、
接収した広告や文字をターミナルに表示することのできるマルチメディア放送接収システムと、
顧客側にて出力を行うターミナルと、からなり、
前記広告発送サービス管理システム（ASMS）は、下記のような機能を備えたモジュールを内蔵している。
システム・ユーザー管理：
ユーザーの口座名及びパスワードによって本システムにログインし、且つ授権ログイン後ユーザーに授けられた使用権限に基づいて本システムを管理する。
顧客管理：
本モジュールのサービスを提供すべき顧客側を管理する。
グループ管理：
主な機能は本システム内の全ての顧客側をグループ単位で管理することにある。
広告ターミナル管理：
顧客側の管理及び設定に使われる、システム管理者はここで顧客側の全ての関連数値を設定することができる。
発送サーバー管理：
発送サーバーの管理及び指定に使われる、全てのターミナルにそれぞれ発送サーバーを一台ずつ指定して広告資料の伝送を行う。
広告資料管理：
主な機能は広告ビデオファイルの管理を行うもので、システムはこれによって設定及び指定した広告の発送を管理する。
広告区分振当て：
グループ毎の広告振当てリストの管理に使われる、システムは広告を区分振当てするときに設定したパラメータによって広告の振当てリストを自動的に配列し、且つこの広告リストを修正することによって振当て順序を変更することもできる。
システム設定及び道具：
一日おきに振り当てるリストの生成時間・ターミナル日誌の処理時間とターミナル広告修復の設定に使われる。
システム状態及び記録：
本システムの管理及び顧客側から送り返された資料の処理に使われ、その機能は、ユーザーの操作記録・顧客側から送り返された資料によって振り分ける回数・資料伝送の状況・顧客側使用状態の監視を含む。
【０００７】
前記リアルタイム情報管理システム（IBMS）に内蔵された機能は次のとおりである。
システム・ユーザーの管理：
ユーザーの口座名及びパスワードによって本システムにログインし、且つ授権ログイン後ユーザーに授けられた使用権限に基づいて本システムを管理する。
リアルタイム情報の管理：
主として広告発送サービス管理モジュール内の全ての顧客側をグループ単位でリアルタイム情報管理を行う。
リアルタイム情報発布状態：
リアルタイム情報伝送状態を参照したり、選択したリアルタイム情報を削除したり、選択したリアルタイム情報の顧客側及びリアルタイム歴史記録の参照を削除したりすることができる。
データーベース：
広告発送サービス管理モジュール或いはリアルタイム情報管理モジュールが伝送すべき広告や文字資料を一旦保存する。
発送サーバー（Dispatch Server, DS）：
ASMS或いはIBMSの指示に基づいてデータベースにて必要な資料をキャッチしてマルチメディア・サーバーへ送る。
マルチメディア・サーバー（Media Server, MS）：
発送サーバーから伝送された資料を受け取り、必要な顧客側に基づいて発送する。
マルチメディア放送接収モジュール：
たった今受け取った広告又は文字をターミナルに表示する。前記マルチメディア放送接収モジュールの中にターミナル接収エージェント（Terminal Receive Agent, RA）というプログラムがあり、これによって発送サーバーが伝送した資料を接収し、指示された命令ファイルに従って資料を発送サーバーにアップロードする。
ターミナル：
顧客側にて出力する。
【発明の効果】
【０００８】
本発明を利用することによって、オンライン広告を一層早く、一層小さいスペースで顧客側に伝送すると共に、管理プラットホームによって、システム管理員が全ての発送サーバーとターミナルを管理することができる。
【発明を実施するための最良の形態】
【０００９】
図１は、本発明のシステム・ブロック図である。
【００１０】
システム管理員１は、図１Ａ・図１Ｂに示すように、先ず口座名・パスワードを広告発送サービス管理システム（ASMS）２又はリアルタイム情報管理システム（IBMS）３へログインする。システムは更にそのシステム・ユーザーの権限に基づいて該システムをコントロールする。図１Ａは、広告発送サービス管理システムのログイン画面２１であり、図１Ｂは、リアルタイム情報管理システムのログイン画面３１である。
【００１１】
広告発送サービス管理システム２又はリアルタイム情報管理システム３から伝送されるべき広告や文字は、先ずデータベース４に保存され、一方、発送サーバー（Dispatch Server, DS）５は、定期的にデータベース４にて今現在発送すべき新しい広告や文字があるかどうかを検査する。
【００１２】
若し、発送サーバー５が発送すべき新しい広告や文字を発見すると、直ちにこの新しい広告や文字をマルチメディア・サーバー（Media Server, MS）６の目録の中にコピーすると共に、マルチメディア・サーバー６を触発して直ちにこの広告や文字をネットワーク７経由で指定のマルチメディア・プレゼンター（Media Presenter, MP）８へ発送させる、一方、マルチメディア・プレゼンター８は、新しい広告や文字をターミナル８１に表示し、ターミナル８１によってたった今キャッチした広告や文字を表示する。マルチメディア・プレゼンター８の中に、ターミナル接収エージェント（Terminal Receive Agent, RA）というプログラムがあり、これによって発送サーバー５から伝送された資料を接収し、指示された命令ファイルに従って資料を発送サーバー５にアップロードする。
【００１３】
マルチメディア・プレゼンター８はターミナル８１の中に常時駐在し、ターミナル８１の中の全ての行為を管理する責任を受け持つ。マルチメディア・プレゼンター８がターミナル８１にセットアップされると、ただターミナル８１の電源を入れるだけで、マルチメディア・プレゼンター８はターミナル８１の中のソフトウェアやハードウェア設備の管理を開始し、且つターミナル８１の設定値あるいは広告発送サービス管理システム２から伝送されてきた設定に従って全ての機能を実行する。
【００１４】
図２は、広告発送サービス管理システム（ASMS）２の使用プロセスのブロック図である。図２Ａ・図２Ｂ・図２Ｃ・図２Ｄ・図２Ｅと合わせて参照下さい。
【００１５】
前記図２Ａは、システム・ユーザーの口座名を樹立する際の画面２２である。
図２Ｂは、発送サーバーを樹立する際の画面２３である。
図２Ｃは、顧客資料を樹立する際の画面２４である。
図２Ｄは、グループ資料を樹立し、且つ発送サーバーを指定する際の画面２５である。
図２Ｅは、ターミナル資料を樹立し、且つ所属の顧客と所属のグループを選択する際の画面２６である。
【００１６】
システム管理員１は、広告発送サービス管理システムにログインする２１０と、先ずその内部のシステム・ユーザーの口座名・パスワード及びその権限を樹立し、システムがシステム・ユーザーの権限に基づいて該システムを使用できるようにする。
【００１７】
システム・ユーザーの口座名を樹立（２１１）した後、全てのターミナル８１に発送サーバー５をそれぞれ一台ずつ指定して広告資料の伝送を行うため、更に発送サーバー資料を樹立（２１２）しなければならない。次は、更に顧客資料を樹立（２１３）しなければならない。その後は、グループ資料を樹立すると共に、発送サーバーを指定し（２１４）、最後にターミナル資料を樹立し、且つ所属の顧客と所属のグループを選択する（２１５）。
【００１８】
図３は、広告発送サービス管理システム（ASMS）２から広告映画・図や写真ファイルをターミナル８１へ送るプロセスのブロック図である。
【００１９】
システム管理員１は、先ず広告発送サービス管理システムにログイン（２１０）し、次に広告発送サービス管理システム２の広告資料の中に広告資料を一筆入力し、且つ広告時間を設定する（２２１）。次にシステム管理員１は、現存の広告資料に基づいて広告資料の区分振り分けを行うと共に、発送時間を指定する（２２２）。一方、広告発送サービス管理システム２は、この動作に基づいて関連資料をデータベースの中に書き込む（２２３）。
【００２０】
発送サーバーは、定期的にデータベースに今現在発送されるべき新しい広告映画やピクチャーがあるかどうかを検査し（２２４）、若しデータベースに新しい資料がない場合は、発送サーバー５は更にデータベース４に発送されるべき新しい資料があるかないか検査する。若し発送されるべき新しい広告映画やピクチャーがある場合、発送サーバー５は、直ちにこれらの広告映画やピクチャーをマルチメディア・サーバー６の目録の中にコピーすると共に、マルチメディア・サーバーを触発して、直ちにこのファイルを指定のターミナルへ発送（２２５）させる。次にそのファイルの伝送が成功したかどうかを判断し（２２６）、伝送に成功すれば、直ちに終了する（４００）。若し伝送に失敗すれば、伝送が成功するまで前記動作を繰り返す。
【００２１】
図４は、手動でターミナル８１の広告ファイルを削除するプロセスのブロック図である。
【００２２】
システム管理員１は、先ず広告発送サービス管理システムへログイン（２１０）し、次に広告発送サービス管理システム２の広告資料の中から、手動方式で或る広告資料を削除する（２３１）。その後で、広告発送サービス管理システム２がこの動作に基づいて関連資料をデータベースの中に書き込む（２３２）。
【００２３】
発送サーバーは、定期的に今現在データベースにターミナルへ発送（２３３）されるべき広告ファイルを削除する命令ファイルがあるかどうかを検査し、若しデータベース４に広告ファイルを削除する命令ファイルがない場合は、発送サーバー５は更にデータベース４に発送されるべき広告資料を削除する命令ファイルがあるかないか検査する。若し発送されるべき広告ファイルを削除する命令ファイルがある場合、発送サーバー５は、直ちにこれらの広告ファイルを削除する命令ファイルをマルチメディア・サーバーの目録の中にコピーすると共に、マルチメディア・サーバーを触発して、直ちにこの広告ファイルを削除する命令ファイルを指定のターミナルへ発送させる（２３４）。次にその広告ファイルを削除する命令ファイルの伝送が成功したかどうかを判断し（２３５）、伝送に成功すれば、直ちに終了する（４００）。若し伝送に失敗すれば、伝送が成功するまで前記動作を繰り返す。
【００２４】
図５は、自動的にターミナル８１の広告ファイルを削除するプロセスのブロック図である。
【００２５】
システム管理員は、先ず広告発送サービス管理システムの区分振り分けにおいて広告削除期日を設定する（２４０）。次に広告発送サービス管理システム２がこの動作に基づいて関連資料（例えば、削除期日）をデータベースの中へ書き込む（２４１）。
【００２６】
発送サーバーは、定期的に今現在データベースに発送されるべき広告ファイルを削除する命令ファイルがあるかどうかを検査する（２４２）。従って、削除すべき期日の日に、発送サーバー５は、前記設定済みの広告ファイルを削除する命令ファイルをキャッチする。
【００２７】
若しデータベース４の中に広告を削除する命令ファイルが無ければ、発送サーバー５は、引き続きそのデータベース４に発送すべき広告ファイルを削除する命令ファイルがあるかどうかを検査する。若し発送すべき広告ファイルを削除する命令ファイルがある場合、発送サーバー５は、直ちにこれらの広告ファイルを削除する命令ファイルをマルチメディア・サーバー６の目録の中にコピーすると共に、マルチメディア・サーバー６を触発して、直ちに広告ファイルの削除命令ファイルを指定のターミナルへ発送させる（２４３）。次に、その広告ファイルを削除する命令ファイルの伝送が成功したかどうかを判断し（２４４）、伝送に成功すれば、直ちに終了する（４００）。若し伝送に失敗すれば、伝送が成功するまで前記動作を繰り返す。
【００２８】
図６は、自動的に一日おき広告発送リストを生成し、且つ広告発送リストをターミナル８１へ伝送するプロセスのブロック図である。
【００２９】
広告発送サービス管理システム２は、広告区分振り分けにおいて設定された毎日のリアルタイム一日おき広告発送リストに基づき（２５０）、広告発送リストが出来あがり次第、直ちに関連資料をデータベースの中に書き込む（２５１）。
【００３０】
発送サーバーは、定期的に今現在データベースに発送されるべき新しい広告発送リストのファイルがあるかどうかを検査する（２５２）。若しデータベース４の中に新しい広告発送リストのファイルが無ければ、発送サーバー５は、引き続き定期的にそのデータベース４に発送すべき新しい広告発送リストのファイルがあるかどうかを検査する。若し発送すべき新しい命令情報がある場合、発送サーバー５は、直ちに一日おき広告発送リストのファイルをマルチメディア・サーバーの目録の中にコピーすると共に、マルチメディアサーバーを触発して、直ちにこの命令情報を指定のターミナルへ発送させる（２５３）。次に、そのファイルの伝送が成功したかどうかを判断し２５４、伝送に成功すれば、直ちに終了する（４００）。若し伝送に失敗すれば、一日おき期日になるまで前記動作を繰り返し、若しそれでも尚失敗すれば、プログラムは自動的に終了する（４００）。
【００３１】
図７は、広告発送リストを自動的に更新すると共に、広告発送リストをターミナル８１へ伝送するプロセスのブロック図である。
【００３２】
広告発送サービス管理システムに広告発送リストが一旦生成されると、システム管理者は広告発送リストの発送順序を更新・再構成することが出来る（２６０）。次に、プログラムは広告発送リストに異動があるかどうかを判断し（２６１）、若し異動が無ければ、プログラムは直ちに自動的にジャンプ・アウトする。若し広告発送リストに異動があれば、広告発送サービス管理システム２はこの動作に基づいて関連資料をデータベースの中に書き込む（２６２）。
【００３３】
発送サーバーは、定期的に今現在データベースに発送されるべき広告発送リストの更新命令ファイルがあるかどうかを検査する（２６３）。若しデータベース４の中に広告発送リストの更新ファイルが無ければ、発送サーバー５は、引き続き定期的にそのデータベース４に発送すべき広告発送リスト更新命令ファイルがあるかどうかを検査する。若し発送すべき広告発送リスト更新命令ファイルがある場合、発送サーバー５は、直ちにこれらの広告発送リストの更新命令ファイルをマルチメディア・サーバーの目録の中にコピーすると共に、マルチメディア・サーバーを触発して、直ちにこの広告発送リスト更新命令ファイルを指定のターミナルへ発送させる（２６４）。次に、その広告発送リスト更新命令ファイルの伝送が成功したかどうかを判断し（２６５）、伝送に成功すれば、直ちに終了する（４００）。若し伝送に失敗すれば、一日おき期日になるまで前記動作を繰り返し、プログラムは自動的に終了する（４００）。
【００３４】
図８は、リアルタイム情報管理システム（IBMS）３が文字情報をターミナル８１へ送るプロセスのブロック図である。図８Ａ・図８Ｂも合わせて参照ください。
【００３５】
前記図８Ａは、新たに追加されたリアルタイム情報の画面３２である。
図８Ｂは、リアルタイム情報の伝送状態における参照中の画面３３である。
【００３６】
システム管理員１は、先ずリアルタイム情報管理システムへログイン（３１０）し、リアルタイム情報管理システム３はユーザーの広告発送サービス管理システム２の中に設定された口座名及びパスワードに基づいてログインする。
【００３７】
ログインしたら、システム管理員１は、リアルタイム情報管理システム３の中に文字情報を一節入力し、且つ表示したい時間帯を設定する（３１１）ことが出来る。次にリアルタイム管理システム３は、この動作に基づいて関連資料をデータベースの中に書き込む（３１２）。
【００３８】
発送サーバーは、定期的に今現在データベースに発送されるべき新しい文字情報があるかどうかを検査する（３１３）。若しデータベース４の中に新しい文字情報ファイルが無ければ、発送サーバー５は、引き続き定期的にそのデータベース４に発送すべき新しい文字情報ファイルがあるかどうかを検査する。若し発送すべき文字情報ファイルがある場合、発送サーバー５は、直ちにこれらの文字情報ファイルをマルチメディア・サーバーの目録の中にコピーすると共に、マルチメディア・サーバーを触発して、直ちにこの文字情報ファイルを指定のターミナルへ発送させる（３１４）。次に、その文字情報ファイルの伝送が成功したかどうかを判断し３１５、伝送に成功すれば、直ちに終了する（４００）。若し伝送に失敗すれば、引き続き前記動作を繰り返し、数回繰り返したあと、一日おき期日の到来までに尚失敗した場合、プログラムは自動的に終了する（４００）。
【００３９】
図９は、ターミナル８１の文字情報を削除するプロセスのブロック図である。図９Ａと合わせて参照ください。
【００４０】
図９Ａは、削除したいリアルタイム情報を選択する際の画面３４である。
【００４１】
システム管理員１は、先ず或る文字情報をクリックする（３２０）。次にリアルタイム情報管理システム３はこの文字情報がすでにターミナルへ伝送されたかどうかを判断する（３２１）。若し文字情報がターミナル８１へ送られていない場合、直接データベースへ行って前記文字情報を削除する（３２２）。若し文字情報がすでにターミナル８１へ伝送されている場合、リアルタイム管理システム３は、この動作に基づいて関連資料をデータベースの中に書き込む（３２３）。
【００４２】
発送サーバーは、定期的に今現在データベースに発送されるべき文字情報を削除する命令ファイルがあるかどうかを検査する（３２４）。若しデータベース４の中に文字情報を削除する命令ファイルが無ければ、発送サーバー５は、引き続き定期的にそのデータベース４に発送すべき文字情報ファイルを削除する命令ファイルがあるかどうかを検査する。若し発送すべき文字情報ファイルを削除する命令ファイルがある場合、発送サーバー５は、直ちにこれらの文字情報ファイルを削除する命令ファイルをマルチメディア・サーバーの目録の中にコピーすると共に、マルチメディア・サーバーを触発して、直ちにこの文字情報ファイルを削除する命令ファイルを指定のターミナルへ発送させる（３２５）。次に、その文字情報ファイルを削除する命令ファイルの伝送が成功したかどうかを判断し（３２６）、伝送に成功すれば、プログラムは直ちに終了する（４００）。若し伝送に失敗すれば、引き続き前記動作を繰り返し、数回繰り返したあと、一日おき期日の到来までに尚失敗した場合、プログラムは自動的に終了する（４００）。
【００４３】
図１０は、マルチメディア・プレゼンター８の広告放送プロセスのブロック図である。
【００４４】
顧客側のターミナル・システムが起動（８１０）するとき、ターミナル８１は先ずマルチメディア・プレゼンター８のファイル構造を確認する（８１１）。前記ターミナルシステムの時間はサーバーと同期（８１２）であり、次にターミナル・コンフィギュレーションをロードし（８１３）、その後でターミナル接収エージェント（Terminal Receive Agent, RA）を再起動する（８１４）。
【００４５】
ターミナル接収エージェントを起動（８１４）するとき、ターミナル接収エージェントは発送サーバーに接続（８３０）され、発送すべき新しい広告放送リストがあるかどうか検査すると共に、一方ターミナル８１の中に有効な広告放送リストがあるかどうか検索する。若しターミナルの中に有効な広告放送リストがない場合、有効な広告放送リストを受け取るまで、引き続き前記動作を繰り返す。若しターミナル８１の中に有効な広告放送リストがある場合、プログラムは広告の放送を開始するかどうか判断する（８２１）。若しまだ広告の放送を開始する必要がない場合、広告の放送を開始する必要があるまで、前記動作を繰りかえす。若し広告の放送を開始した場合、自動的に液晶ディスプレイを起動（８２２）して広告を放送する（８２３）。次にターミナルにて広告放送記録を生成する（８２４）。その後、広告の放送を終了するかどうかを判断する（８２５）。若しまだ広告の放送を終了する必要がない場合、プログラムは再び広告の放送（８２３）に戻る。若し広告の放送を終了する場合は、自動的に液晶ディスプレイを閉じる（８２６）。その上で前記プログラムは広告放送記録を統計する（８２７）。
【００４６】
図１１は、ターミナル接収エージェント（RA）が広告ファイル・広告放送リストを受け取るプロセスのブロック図である。
【００４７】
ターミナル接収エージェントを起動する（８１４）と、ターミナル接収エージェントプログラムは発送サーバーに接続（８３０）され、ターミナルの番号を発送サーバーに送る（８３１）。次にプログラムはサーバーに有効なターミナル番号が保存されているかどうかを判断する（８３２）。若しサーバーに有効なターミナル番号がない場合、再びターミナル番号を発送サーバーへ送る（８３１）。若しサーバーに有効なターミナル番号がある場合、ターミナルは広告ファイルを受け取り、且つ保存する（８３３）。
【００４８】
ターミナルが広告ファイルを接収且つ保存（８３３）した後、一方でプログラムは広告ファイルを削除する指令を受け取ったかどうかを判断し（８４０）、広告ファイルを削除する（８４１）。一方、ターミナルは広告放送リストを接収し且つ保存する（８５０）。次に、プログラムはターミナルの接収エージェントを触発させて広告放送の統計記録をアップ・ロードするかどうかを判断する（８５１）。若し触発する必要がない場合、引き続き前記動作を繰り返す判断を下す。若し触発を必要とする場合、ターミナル接収エージェントは広告放送の統計記録を発送サーバーへアップ・ロードする（８５２）。この後、広告放送統計記録のアップロードが成功したかどうか判断する（８５３）。若し伝送に失敗したら、再び広告放送統計記録を発送サーバーへアップ・ロードする（８５２）。若し伝送に成功したら、直ちに広告放送統計記録を削除する（８５４）。
【産業上の利用可能性】
【００４９】
本発明を利用することによって、オンライン広告を一層早く、一層小さいスペースで顧客側に伝送すると共に、管理プラットホームによって、システム管理員が全ての発送サーバーとターミナルを管理することができる。
【図面の簡単な説明】
【００５０】
【図１】本発明に係るシステム・ブロックの構造図である。
【図１Ａ】広告発送サービス管理システム・ログイン画面を示す図である。
【図１Ｂ】リアルタイム情報管理システム・ログイン画面を示す図である。
【図２】広告発送サービス管理システム（ASMS）使用プロセスのブロック図である。
【図２Ａ】システム・ユーザーの口座名を樹立する際の画面を示す図である。
【図２Ｂ】発送サーバーを樹立する際の画面を示す図である。
【図２Ｃ】顧客資料を樹立する際の画面を示す図である。
【図２Ｄ】グループ資料を樹立し、且つ発送サーバーを指定する際の画面を示す図である。
【図２Ｅ】ターミナル資料を樹立し、且つ所属顧客及び所属グループを選択する際の画面を示す図である。
【図３】広告発送サービス管理システム（ASMS）から広告映画・図面ファイルをターミナルへ伝送するプロセスのブロック図である。
【図４】ターミナルの広告ファイルを手動的に削除するプロセスのブロック図である。
【図５】ターミナルの広告ファイルを手動的に削除するプロセスのブロック図である。
【図６】広告発送リストを自動的に生成し、且つ広告発送リストをターミナルへ伝送するプロセスのブロック図である。
【図７】広告発送リストの手動的更新、及び広告発送リストをターミナルへ伝送するプロセスのブロック図である。
【図８】リアルタイム情報管理システム（IBMS）からターミナルへ文字情報を伝送するプロセスのブロック図である。
【図８Ａ】リアルタイム情報を追加する際の画面を示す図である。
【図８Ｂ】リアルタイム情報の伝送状態の参照プロセスにおける画面を示す図である。
【図９】ターミナルの文字情報を削除するプロセスのブロック図である。
【図９Ａ】削除したいリアルタイム情報を選択する際の画面を示す図である。
【図１０】マルチメディア放送接収システム（MP）から広告を放送するプロセスのブロック図である。
【図１１】ターミナル接収エージェント（RA）が広告ファイル・広告放送リストを接収するプロセスのブロック図である。
【符号の説明】
【００５１】
１    システム・ユーザー
２    広告発送サービス管理システム（ASMS）
３    リアルタイム情報管理システム（IBMS)
４    データベース
５    発送サーバー
６    マルチメディア・サーバー
７    ネットワーク
８    マルチメディア放送接収モジュール（MP）
９    ターミナル
【図１】
2007027964.tif 000003
【図１Ａ】
2007027964.tif 000004
【図１Ｂ】
2007027964.tif 000005
【図２】
2007027964.tif 000006
【図２Ａ】
2007027964.tif 000007
【図２Ｂ】
2007027964.tif 000008
【図２Ｃ】
2007027964.tif 000009
【図２Ｄ】
2007027964.tif 000010
【図２Ｅ】
2007027964.tif 000011
【図３】
2007027964.tif 000012
【図４】
2007027964.tif 000013
【図５】
2007027964.tif 000014
【図６】
2007027964.tif 000015
【図７】
2007027964.tif 000016
【図８】
2007027964.tif 000017
【図８Ａ】
2007027964.tif 000018
【図８Ｂ】
2007027964.tif 000019
【図９】
2007027964.tif 000020
【図９Ａ】
2007027964.tif 000021
【図１０】
2007027964.tif 000022
【図１１】
2007027964.tif 000023